(57)【要約】【課題】本発明は、遮光及び目隠し機能を有すると共に、通気及び換気・放熱機能を併せ持つ通気目隠し構造体を提供することを目的とするものである。【解決手段】本発明は、パネル構造を有する枠体１０内に間隔を設けて配置され、かつその横断面の相対する面に凹部４が形成される第１の棒状部材２と、それぞれの第１の棒状部材２との間に通気路を有するように配置されると共に、第１の棒状部材２の配列方向に対して平面的に略９０度の角度にて回転した際に、その端部７が第１の棒状部材２の凹部４の境界線９と同一線上、あるいは凹部４内に位置する如き構成とされる第２の棒状部材５とを備える。【選択図】図１
2009191511.tif 000002
【特許請求の範囲】
【請求項１】
所定の間隔で配置された第１の棒状部材と、
該第１の棒状部材同士の間に配置された第２の棒状部材とを備え、
前記第１の棒状部材の前記第２の棒状部材と相対する面に凹部が形成された通気目隠し構造体であって、
前記第２の棒状部材は、前記第１の棒状部材との間に所定の間隙を介して配置されると共に、
前記第２の棒状部材の端部は、前記凹部が設けられた前記第１の棒状部材の面と同一平面上に位置すべく構成され、若しくは、前記凹部内に位置すべく構成された
通気目隠し構造体。
【請求項２】
所定の間隔で配置された第１の棒状部材と、
該第１の棒状部材同士の間に配置された第２の棒状部材とを備え、
前記第１の棒状部材の前記第２の棒状部材と相対する面に凹部が形成されると共に、
前記第２の棒状部材は、同第２の棒状部材の長手方向を回転軸として回動可能に構成された通気目隠し構造体であって、
前記第２の棒状部材は、前記第１の棒状部材との間に所定の間隙を介して配置されると共に、
第１の状態では、同第２の棒状部材の端部が、前記凹部が設けられた前記第１の棒状部材の面と同一平面上に位置すべく構成され、若しくは、前記凹部内に位置すべく構成され、
前記第１の状態から所定の角度だけ回転した第２の状態では、同第２の棒状部材の端部が、前記凹部外に位置すべく構成された
通気目隠し構造体。
【請求項３】
前記第１の状態で、前記第２の棒状部材が同第２の棒状部材の長手方向と略直交する方向に移動することで、前記第１の棒状部材と前記第２の棒状部材との間の所定の間隙を閉塞可能に構成された
請求項２に記載の通気目隠し構造体。
【請求項４】
前記凹部及び前記第２の棒状部材の端部は曲面形状に構成されると共に、
前記凹部と前記第２の棒状部材の端部との間隙によって形成される曲り部の曲率半径は、前記間隙の幅の０．５倍以上２０倍以下である
請求項１に記載の通気目隠し構造体。
【請求項５】
前記凹部及び前記第２の棒状部材の端部は曲面形状に構成されると共に、
前記第１の状態において、前記凹部と前記第２の棒状部材の端部との間隙によって形成される曲り部の曲率半径は、前記間隙の幅の０．５倍以上２０倍以下である
請求項２に記載の通気目隠し構造体。
【請求項６】
前記第１の棒状部材若しくは前記第２の棒状部材のうちの少なくとも一方が、光透過部材によって形成された
請求項１、請求項２、請求項３、請求項４または請求項５に記載の通気目隠し構造体。
【請求項７】
前記第１の棒状部材若しくは前記第２の棒状部材のうちの少なくとも一方が中空状に構成されると共に、該中空部内に断熱性部材が充填された
請求項１、請求項２、請求項３、請求項４、請求項５または請求項６の通気目隠し構造体。
【発明の詳細な説明】
【技術分野】
【０００１】
本発明は、通気目隠し構造体に関する。詳しくは、例えば建具、壁、日除け屋根、換気口、デッキ床、塀、フェンス、柵、手摺、門扉、面格子及び可搬式目隠しパネルなどに利用可能な通気目隠し構造体に係るものである。
【背景技術】
【０００２】
従来より遮光及び目隠し機能を有しつつ、通気及び換気・放熱機能を併せ持つ構造体として、断面が同一山形形状をした遮蔽板を一定間隔、かつ相隣る遮蔽板の一方の山形断面両端を結ぶ線内に他方の山形断面頂部が位置するように枠体内に固定又は回動可能の状態で固定されたものが提案されており、例えば特許文献１に記載されている。
【０００３】
また、断面形状が概略楕円形・概略Ｓ字形状・概略長方形・概略三角形の羽根部材を一定間隔で、枠体に回転可動な状態で連続して鉛直方向又は水平方向に固定し、各羽根部材が一定の角度位置に同時に回転することにより採光と通気・換気・放熱の機能を有し、又、別の角度位置に同時に回転することにより採光と通気・換気・放熱の機能を有し、更に角度位置を変えることにより各羽根部材が接触し遮蔽機能を有する構造体としてルーバーと称呼されるものが提案されており、例えば特許文献２に記載されている。
【０００４】
また、遮光及び目隠し機能を有しつつ、通気及び換気・放熱機能を併せ持つ構造体として、横断面Ｈ型の部材を一定の間隔をあけて枠体に固定し、このＨ型部材の凹溝間に互いの端部が一致するか重なり合うように目隠し板を枠体に固定したものが提案されており、例えば特許文献３に記載されている。
【０００５】
また、遮光及び目隠し機能を有しつつ、通気及び換気・放熱機能を併せ持つ構造体として、横断面コ字状の部材を凹溝が向かい合う形状で互いに重ね合うように枠体に固定したものが提案されており、例えば特許文献４に記載されている。
【０００６】
また、遮光及び目隠し機能を有しつつ、通気及び換気・放熱機能を併せ持つ構造体として、細長穴を有する縁枠体の前後側に所定の間隔を保ってカバー板を夫々被覆して取り付けてものが提案されており、例えば特許文献５に記載されている。
【０００７】
また、遮光及び目隠し機能を有しつつ、通気及び換気・放熱機能を併せ持つ構造体として、三角柱に両側を支持された複数の遮蔽板を一定の間隔において上下のフレーム間に併設し、この遮蔽板の間の上下フレーム間に断面略菱形又は断面略Ｚ字状の通風調整板を回動可能に配設したものが提案されており、例えば特許文献６に記載されている。
【０００８】
また、遮光及び目隠し機能を有しつつ、通気及び換気・放熱機能を併せ持つ構造体として、水平断面形状が波形のガラリ板を縦方向に複数平行配置し、その波形の谷部分と山部分とが構造体を前後に貫通する直線上で同一線上に位置するか又は同一線を越える形状のものが提案されており、例えば特許文献７に記載されている。
【０００９】
また、遮光及び目隠し機能を有しつつ、通気及び換気・放熱機能を併せ持つ構造体として、複数の互いに嵌合可能な形状を持つ平行な羽目板を枠体に、水平方向に可動な状態で支持されたものが提案されており、例えば特許文献８に記載されている。
【００１０】
また、遮光及び目隠し機能を有しつつ、通気及び換気・放熱機能を併せ持つ構造体として、横断面形状が概略きのこ形状の前部幅広部と後部幅狭部を持つ格子桟を、直射日光が貫通しない間隔を保ち枠体に固着又は水平移動可能とされたものが提案されており、例えば特許文献９に記載されている。
【００１１】
【特許文献１】実開昭５８−７２３８０号公報
【特許文献２】実開昭６０−４１８９号公報
【特許文献３】特開２００４−２０４４９９号公報
【特許文献４】実開昭６３−５１８９号公報
【特許文献５】実開昭６１−１６８２９４号公報
【特許文献６】実開昭５６−７４１４３号公報
【特許文献７】特開昭６４−６６３３９号公報
【特許文献８】実開昭６２−９６４８５号公報
【特許文献９】実開昭６３−７８８３５号公報
【発明の開示】
【発明が解決しようとする課題】
【００１２】
しかしながら特許文献１に示される構造体では、全て断面が同一山形形状をした遮蔽板を使用しているために、遮蔽板の頂部方向より枠体を通過する通気の効率が低下する問題がある。
【００１３】
また、特許文献２に示される構造体では、全ての羽根部材を同時に一定の角度位置に回転するため、各羽根部材が接触するまでは回転方向角度からの視線には目隠し機能を有しないことになり、更に各羽根部材が同時に回転するために、通気の流入方向および流出方向も制限される問題がある。
【００１４】
また、特許文献３に示される構造体では、通気の方向に対し９０度に近い平面で構成されていることにより、構造体前面の通気の圧力より後流の圧力が小さくなるために、構造体が通気より受ける形状抵抗が大きく、通気の形状損失が大きくなることにより通気の効率は低下せざるを得ない。
【００１５】
また、特許文献４に示される構造体では、通気の方向に対し９０度に近い平面又は通気の方向に部材の一部が突出した構造であるので、構造体前面の通気の圧力より後流の圧力が小さくなるために、構造体の通気より受ける形状抵抗が大きく、通気の形状損失が大きくなることにより通気の効率は低下せざるを得ない。
【００１６】
また、特許文献５に示される構造体では、通気の方向に対し９０度に近い平面で構成されており、構造体前面の通気の圧力により後流の圧力が小さくなるために構造体が通気より受ける形状抵抗が大きく、通気の形状損失が大きくなることにより通気の効率は低下せざるを得ない。
【００１７】
また、特許文献６に示される構造体では、三角形の柱底面が通気の方向に対し９０度に近い平面で構成されており、構造体前面の通気の圧力より後流の圧力が小さくなるために、構造体が通気より受ける形状抵抗が大きく、通気の形状損失が大きくなることにより通気の効率は低下せざるを得ない。
【００１８】
また、特許文献７に示される構造体では、通気の方向に突出する角度で縦板の半数が構成されていることから、構造体前面の通気の圧力より後流の圧力が小さくなるために、構造体が通気より受ける形状抵抗が大きく、通気の形状損失が大きくなることにより通気の効率は低下せざるを得ない。
【００１９】
また、特許文献７に示される構造体では、通気の方向に対し９０度に近い平面又は通気の方向に突出する角度で縦板が構成されていることにより、構造体前面の通気の圧力より後流の圧力が小さくなるために、構造体が通気より受ける形状抵抗が大きく、通気の形状損失が大きくなることにより通気の効率は低下せざるを得ない。
【００２０】
また、特許文献８に示される構造体では、外面が通気の方向に対し９０度に近い平面の羽目板で構成されることにより、構造体前面の通気の圧力より後流の圧力が小さくなるために、構造体が通気より受ける形状抵抗が大きく、通気の形状損失が大きくなることにより通気の効率は低下せざるを得ない。
【００２１】
また、特許文献９に示される構造体では、外面が通気の方向に対し９０度に近い平面の格子桟で構成されていることから、構造体前面の通気の圧力より後流の圧力が小さくなるために、構造体が通気より受ける形状抵抗は大きく、通気の形状損失が大きくなることにより通気の効率は低下せざるを得ない。
【００２２】
本発明は、以上の点に鑑みて創案されたものであって、遮光及び目隠し機能を有すると共に、通気及び換気を併せ持つ通気目隠し構造体を提供することを目的とするものである。
【課題を解決するための手段】
【００２３】
上記の目的を達成するために、本発明に係る通気目隠し構造体は、所定の間隔で配置された第１の棒状部材と、第１の棒状部材同士の間に配置された第２の棒状部材とを備え、第１の棒状部材の前記第２の棒状部材と相対する面に凹部が形成された通気目隠し構造体であって、第２の棒状部材は、第１の棒状部材との間に所定の間隙を介して配置されると共に、第２の棒状部材の端部は、凹部が設けられた第１の棒状部材の面と同一平面上に位置すべく構成され、若しくは、凹部内に位置すべく構成される。
【００２４】
ここで、第２の棒状部材が第１の棒状部材との間に所定の間隔を介して配置されると共に、第２の棒状部材の端部が、凹部が設けられた第１の棒状部材の面と同一平面上に位置される、あるいは凹部内に位置されることにより第１の棒状部材と第２の棒状部材との間に入り込む光は遮光されて目隠し機能を有すると共に、第１の棒状部材と第２の棒状部材との間の通気の確保が可能となる。
【００２５】
また、上記の目的を達成するために、本発明に係る通気目隠し構造体は、所定の間隔で配置された第１の棒状部材と、第１の棒状部材同士の間に配置された第２の棒状部材とを備え、第１の棒状部材の前記第２の棒状部材と相対する面に凹部が形成されると共に、第２の棒状部材は、第２の棒状部材の長手方向を回転軸として回動可能に構成された通気目隠し構造体であって、第２の棒状部材は、第１の棒状部材との間に所定の間隙を介して配置されると共に、第１の状態では、第２の棒状部材の端部が、凹部が設けられた第１の棒状部材の面と同一平面上に位置すべく構成され、若しくは、凹部内に位置すべく構成され、第１の状態から所定の角度だけ回転した第２の状態では、第２の棒状部材の端部が、凹部外に位置すべく構成される。
【００２６】
ここで、第２の棒状部材が第１の棒状部材との間に所定の間隙を介して配置されると共に、第１の第１の状態では第２の棒状部材の端部が凹部が設けられた第１の棒状部材の面と同一平面上に位置される、あるいは凹部内に位置され、第２の状態では凹部外へ位置されることにより、第１の状態では第１の棒状部材と第２の棒状部材との間に入り込む光は遮光されて目隠し機能を有すると共に、第１の棒状部材と第２の棒状部材との間の通気の確保が可能となる。
また、第２の状態では目隠し機能が解除されることとなる。
【００２７】
また、第１の状態で第２の棒状部材がその長手方向と略直交する方向に移動することで、第１の棒状部材と第２の棒状部材との間の所定の間隙（通気路）を閉塞することにより遮光と共に通気を遮断することが可能となる。
【００２８】
また、第１の状態において第１の棒状部材の凹部と第２の棒状部材の端部との間隙によって形成される曲り部の曲率半径を間隙（通気路）の幅の０．５倍以上２０倍以下とすることにより、通気路を通過する空気の摩擦抵抗を軽減させることにより通気効率を向上させることが可能となる。
なお、曲り部の曲率半径を、通気路の０．５倍未満とした場合には通気路を通る空気摩擦が大きくなり通気の流入量、あるいは流出量が極度に抑制されることになり、また、曲り部の曲率半径を、通気路の２０倍超とした場合には、第１の棒状部材の凹部や第２の棒状部材の端部を形成することが困難となり通気かつ遮光を行うことに支障をきたすことになる。
【００２９】
また、第１の棒状部材若しくは第２の棒状部材のうちの少なくとも一方が、光透過部材により形成されることにより、通気を確保した状態での採光を取り入れることが可能となる。
【００３０】
また、第１の棒状部材若しくは第２の棒状部材のうちの少なくとも一方が中空状に構成されると共に、中空内部に断熱性部材が充填されることにより、防火、保温などを目的とした構造体の断熱性を高めることが可能となる。
【発明の効果】
【００３１】
本発明の通気目隠し構造体によれば、一定の通気路を確保すると共に、遮光及び目隠し機能を有する構造体が実現する。
【発明を実施するための最良の形態】
【００３２】
以下、本発明の実施の形態を図面を参酌しながら説明し、本発明の理解に供する。
実施例１
図１は、本発明を適用した通気目隠し構造体の一例を示す正面図、図２は、本発明を適用した通気目隠し構造体の一例を示す正面図におけるＡ−Ａ線における断面説明図、図３（図３（Ａ）は、採光および目視可能、かつ通気状態を示し、図３（Ｂ）は、遮光および目隠し状態、かつ通気状態を示し、図３（Ｃ）は、遮光および目隠し状態、かつ通気を遮断する状態を示す）は、本発明を適用した通気目隠し構造体の一例における作用図である。
【００３３】
ここで示す通気目隠し構造体１は、パネル構造を成す枠体１０内に、その横断面が概略ひょうたん形状の第１の棒状部材２が一定間隔ごとに配置されている。この第１の棒状部材２は、枠体１０の両平面に対して半真円形状の頂部３、３と、この頂部３、３との間の両側面、すなわち第１の棒状部材２の配列方向に相対する面が凹状の曲面となる凹部４、４とから形成されるものである。
【００３４】
また、第２の棒状部材５は、その横断面が楕円形状に形成され、その断面中心に回転軸６が設けられている。この回転軸６は、第１の棒状部材２、２、・・間に形成される空隙の中心に配置され、回転軸６の回転に第２の棒状部材５が所定角度による回転自在な構成とされるものである。
【００３５】
更に、第２の棒状部材５は、その第２の棒状部材５の回転軸６の長手方向に対して９０度の角度を成す方向に移動可能な構成とされている。
【００３６】
ここで、第１の棒状部材２と第２の棒状部材５が図３（Ａ）で示すように配列した場合には、第１の棒状部材２と第２の棒状部材５との間に採光または目視が可能な一定の空隙幅を確保される構成とされている。
【００３７】
また、図３（Ａ）の状態から第２の棒状部材５を９０度回転させた場合には、第１の棒状部材２の配列方向において相対する凹状となる凹部４と第２の棒状部材５の端部７とが一定の通気路を確保しつつ、第１の棒状部材２の同一側面の頂部３曲面とを結ぶ想像線、即ち凹部４の境界線９より第２の棒状部材５の端部７が第１の棒状部材２の凹状曲面となる凹部４内側へ入り込んだ状態となることにより遮光及び目隠し機能を有する構成とされている（図３（Ｂ）参照）。
【００３８】
更に、図３（Ｂ）の状態から第２の棒状部材５を移動することにより、第１の棒状部材２と第２の棒状部材５の端部７の周縁部が接触し、通気路が閉塞されることで通気を遮断する機能を有する構成とされている（図３（Ｃ）参照）。
【００３９】
次に、図４（図４（Ａ）は、採光および目視可能、かつ通気状態を示し、図４（Ｂ）は、遮光および目隠し状態、かつ通気状態を示し、図４（Ｃ）は、遮光および目隠し状態、かつ通気を遮断する状態を示す）は実施例１における通気目隠し構造体の他の例を示す説明図である。
ここで示す第１の棒状部材２Ａは、枠体（図示せず。）の両平面に対してその横断面形状が角形の頂部３、３と、この頂部３、３との間の両側面、すなわち第１の棒状部材２Ａの配列方向に相対する面が凹状曲面の凹部４、４とから形成されている。
【００４０】
そして第２の棒状部材５Ａは、その横断面が楕円形状に形成されると共に、端部７が第１の棒状部材２Ａの頂部３と同様に角形に形成されて、その断面中心に回転軸６が設けられている。
【００４１】
更に、第２の棒状部材５Ａは、その第２の棒状部材５Ａの回転軸６の長手方向に対して９０度の角度を成す方向に移動可能な構成とされている。
【００４２】
ここで、第１の棒状部材２Ａと第２の棒状部材５Ａが図４（Ａ）で示すように配列した場合には、第１の棒状部材２Ａと第２の棒状部材５Ａとの間に採光または目視が可能な一定の通気路が確保された構成とされている。
【００４３】
また、図４（Ａ）の状態から第２の棒状部材５Ａを９０度の角度に回転させた場合には、第１の棒状部材２Ａの配列方向において相対する凹状曲面となる凹部４と第２の棒状部材５Ａの端部７とが一定の通気路を確保しつつ、第１の棒状部材２Ａの同一側面の頂部３曲面とを結ぶ想像線、即ち凹部４の境界線９と第２の棒状部材５Ａの端部７の先端が同一位置、あるいは境界線９内となることにより遮光及び目隠し機能を有する構成とされている（図４（Ｂ）参照）。
【００４４】
更に、図４（Ｂ）の状態から第２の棒状部材５Ａを移動することにより、第１の棒状部材２Ａと第２の棒状部材５Ａの端部７の周縁部が接触することにより通気路が閉塞され、通気が遮断される機能を有する構成とされている。（図４（Ｃ）参照）。
【００４５】
なお、図３および図４において第２の棒状部材を９０度回転させた場合を例に挙げて説明を行ったが、回転角度は必ずしも９０度である必要はない。
【００４６】
次に、図５（図５（Ａ）は、採光および目視可能、かつ通気状態を示し、図５（Ｂ）は、遮光および目隠し状態、かつ通気状態を示し、図５（Ｃ）は、遮光および目隠し状態、かつ通気を遮断する状態を示す）は実施例１における通気目隠し構造体１の他の例を示す説明図である。
ここで示す通気目隠し構造体１は、パネル構造を成す枠体（図示せず。）内に、傾斜された第１の棒状部材２Ｂが一定間隔ごとに配置されている。この第２の棒状部材２Ｂは、枠体の両平面に対してその横断面形状が、配列される第２の棒状部材２Ｂの相対する箇所に凹状曲面の凹部４が形成される波形状を成すものである。
【００４７】
また、第２の棒状部材５Ｂは、その横断面が楕円形状に形成され、その断面中心に回転軸６が設けられている。この回転軸６は、相対する第１の棒状部材２Ｂの凹部４、４間に形成される空隙の中心に配置され、第２の棒状部材５Ｂが回転自在な構成とされている。
【００４８】
ここで、第１の棒状部材２Ｂと第２の棒状部材５Ｂが図５（Ａ）で示すように配列した場合には、第１の棒状部材２Ｂと第２の棒状部材５Ｂとが交互に一定間隔をおいて採光または目視が可能な一定の空隙幅を確保される構成とされている。
【００４９】
また、図５（Ａ）の状態から第２の棒状部材５Ｂの端部７、７が第１の棒状部材２Ｂの凹部４端を結ぶ想像線、即ち凹部４の境界線９と同一位置上、あるいは境界線９内となるように回転させた場合には、第２の棒状部材２Ｂの配列方向において相対する凹状曲面となる凹部４と第２の棒状部材５Ｂの端部７とが一定の通気路を確保しつつ、遮光及び目隠し機能を有する構成とされる（図５（Ｂ）参照）。
【００５０】
更に、図５（Ｂ）の状態から第２の棒状部材５Ｂを回転させることにより、第１の棒状部材２Ｂの凹部４と第２の棒状部材５Ｂの端部７の先端部が接触することにより通気路が閉塞され、通気が遮断される機能を有する構成とされる（図５（Ｃ）参照）。
【００５１】
上記の様に構成された通気目隠し構造体では、第１の棒状部材と第２の棒状部材の形状が、通気の流入口側と流出口側とが対称形とされ、かつ第１の棒状部材の頂部と第２の棒状部材の端部の幅が狭く形成されているために、通気の流入口側と流出口側と圧力差が軽減されると共に、通気による摩擦抵抗を抑制させる効果を奏する。
【００５２】
更に、通気路の曲がりの角度を９０度以上の鈍角とし、曲面の曲率半径を通気路幅の０．５倍から２０倍範囲内とすることにより通気による摩擦抵抗を小さくし、通気効率を高めることにより通気のエネルギー損失を抑制することが可能となる。
【００５３】
実施例２
図６は、本発明を適用した通気目隠し構造体の一例を示す端面説明図である。
ここで示す通気目隠し構造体１は、パネル構造を成す枠体（図示せず。）内に、その横断面が概略ひょうたん形状の第１の棒状部材２が一定間隔ごとに配置されている。この第１の棒状部材２は、枠体１０の両平面に対して対称形状の頂部３、３と、この頂部３、３との間の両側面、すなわち第１の棒状部材２の配列方向に相対する面が三角形状となる凹部４、４とから形成されるものである。
【００５４】
そして第１の棒状部材２、２、・・との間に、その横断面が概略菱形状の第２の棒状部材５が配置されるものであり、この第２の棒状部材５は、第１の棒状部材２の配列方向において相対する凹状曲面となる凹部４の両端とを結ぶ想像線、即ち凹部４の境界線９に、第２の棒状部材５の端部７の先端が同一線上、あるいは境界線９内となるような配置とされることにより、一定の通気路を確保しつつ、遮光及び目隠し機能を有する構成とされている。
【００５５】
また、図７は、実施例２における本発明を適用した通気目隠し構造体の他の例を示す端面説明図である。
ここで示す通気目隠し構造体１は、パネル構造を成す枠体（図示せず。）内に、その横断面が概略ひょうたん形状の第１の棒状部材２が一定間隔ごとに配置されている。この第１の棒状部材２は、枠体１０の両平面に対して対称形状の頂部３、３と、この頂部３、３との間の両側面、すなわち第１の棒状部材２の配列方向に相対する面が円弧形状となる凹部４、４とから形成されるものである。
【００５６】
そして第１の棒状部材２、２、・・との間に、その横断面が楕円形状の第２の棒状部材５が配置され、この第２の棒状部材５は、第１の棒状部材２の配列方向において相対する凹状曲面となる凹部４の両端とを結ぶ想像線、即ち凹部４の境界線９に、第２の棒状部材５の端部７である曲面が同一線上に配置、あるいは境界線９内となるように配置されることにより、一定の通気路を確保しつつ、遮光及び目隠し機能を有する構成とされている。
【００５７】
上記の様に構成された通気目隠し構造体では、第１の棒状部材と第２の棒状部材の形状が、通気の流入口側と流出口側とが対称形とされ、かつ第１の棒状部材の頂部と第２の棒状部材の端部の幅が狭く形成されているために、通気の流入口側と流出口側と圧力差が軽減されると共に、通気による摩擦抵抗を抑制させる効果を奏する。
【００５８】
更に、通気路の曲がりの角度を９０度以上の鈍角とし、曲面の曲率半径を通気路幅の０．５倍から２０倍範囲内とすることにより通気による摩擦抵抗を小さくし、通気効率を高めることにより通気のエネルギー損失を抑制することが可能となる。
【００５９】
次に、図８は、本発明を適用した通気目隠し構造体の可動機構の一例を示す平面図、図９は、本発明を適用した通気目隠し構造体の可動機構の一例を示す正面図、図１０は、本発明を適用した通気目隠し構造体の第２の棒状部材の可動機構の一例を示す要部拡大説明図、図１１は、本発明を適用した通気目隠し構造体の可動枠体の可動機構の一例を示す要部拡大説明図、図１２は、本発明を適用した通気目隠し構造体の第２の棒状部材の回転機構の一例を示す平面図、図１３は、本発明を適用した通気目隠し構造体の第２の棒状部材の回転機構の一例を示す正面図、図１４は、本発明を適用した通気目隠し構造体の第２の棒状部材の回転機構の一例を示す要部拡大説明図である。
【００６０】
ここで示す枠体１０は、内枠体１１、可動枠体１２および外枠体１３より構成されている。
内枠体１１は、図１０に示すように、第１の棒状部材２および第２の棒状部材５を鉛直に固定すると共に第２の棒状部材５を平行移動させるための滑動用長穴開口部１４が開口されている。また、図１１に示すように建築物１５に外枠体１３が取り付けられ、この外枠体１３に内枠体１１が取り付けられた構成とされている。
【００６１】
また、可動枠体１２は、第２の棒状部材５を回転可能な状態で鉛直に保持しつつ、内枠体１１と外枠体１３に内包されている。そこで可動枠体１２は、その４隅に歯車軸受板部１７が取り付けられ、この歯車軸受板部１７に可動プーリー１８および滑動可動歯車１９が固着された滑動用ネジ付回転軸２０が螺合した状態で貫通され、その両端が内枠体１１に回転自在な状態で取り付けられている。
【００６２】
また、滑動可動歯車１９には円筒形歯車２１が螺合されると共に、この円筒形歯車２１は内枠体１１外へ貫通される円筒形歯車回転軸２２に固着され、更に内枠体１１外へ貫通される円筒形歯車回転軸２２の一端に取り付けられる可動ハンドル１６によって回転自在に構成されている。
【００６３】
ここで、４隅に配置される可動プーリー１８は可動ベルト２３によって連結されることにより可動ハンドル１６が設けられる円筒形歯車回転軸２２が回転することで円筒形歯車２１が回転する。そして円筒形歯車２１と螺合する滑動可動歯車１９が回転し、この滑動用ネジ付回転軸２０に固着された可動プーリー１８が回転する。更に、可動プーリー１８には可動ベルト２３が連動されているために、可動ベルト２３により他３個所の可動プーリー１８を回転させることになる。
【００６４】
これにより４隅に配置された可動プーリー１８が同時に回転することにより、この可動プーリー１８に固着される滑動用ネジ付回転軸２０が回転し、この滑動用ネジ付回転軸２０と噛み合うように貫通される歯車軸受板部１７が滑動用ネジ付回転軸２０にそって左右に移動することで可動枠体１２が平行移動することができる構成とされている。
【００６５】
また、歯車軸受板部１７のネジにかかる鉛直方向の荷重を軽減させるために、可動枠体１２の下部にキャスター２４を取り付けることで平行移動がし易い構成としている。
なお、それぞれの可動プーリー１８との間に掛けられる可動ベルト２３に一定のテンションを加えることで確実に連動が行えるようにそれぞれの可動ベルト２３の中間位置には押さえプーリー金具３４が配置され、この押さえプーリー金具３４に設けられる押さえプーリー３５によって可動ベルト２３を押えることによって一定のテンションを与える構成とされている。
【００６６】
次に、図１２、図１３および図１４に示すように第２の棒状部材５の回転機構の一例としては、第２の棒状部材５の上下両端に回転軸６と一体成型したアルミ合金製キャップ（図示せず。）をネジにて固着させ、内枠体１１の内側に第２の棒状部材５を位置させながら、回転軸６は可動枠体１２に回転自在な状態で保持されている。
【００６７】
また、回転軸６の上端に回転操作棹２５がそれぞれ取り付けられ、この回転操作棹２５には回転操作棹連結平板２６が操作棹連結軸３３によって回転可能な状態で連結枢支されている。そして回転操作棹連結平板２６に回転可動平形歯車２７が固着され、この回転可動平形歯車２７の歯車部分が噛み合う状態で回転可動歯車２８が取り付けられている。
【００６８】
この回転可動歯車２８は、回転可動歯車方形回転軸２９と滑動可能な隙間を有する回転可動歯車２８の内部軸受けを有することにより回転可動歯車方形回転軸２９の延長方向に移動可能となり、回転可動歯車方形回転軸２９を中心として回転運動を行うことが可能となる。
【００６９】
また、外枠体１３に方形回転軸軸受３０にて回転可動状態に取り付けられる回転可動歯車方形回転軸２９を可動ハンドル１６Aによって回転させることにより、回転可動歯車２８は回転可動平形歯車２７を水平移動させ、回転操作棹２５を移動させることにより可動桟部５は回転軸６を中心として回転可能な構成とされている。
【００７０】
また、回転操作棹２５の移動時に、回転操作棹連結平板２６は可動枠体１２の外部方向に一旦水平移動するため、回転可動平形歯車２７を両側より挟み込むようにして歯車側面押板開口部３１が形成される歯車側面押板３２を配置することにより、回転可動歯車２８は歯車側面押板３２に側面全体を均等に押圧されることで、回転可動平形歯車２７の歯車部分と回転可動歯車２８の歯車部分とを均等に噛み合わせられることが可能となる。
【００７１】
なお、本実施例では可動プーリーとの連動に可動ベルトを用いたものを詳述したが，必ずしも可動ベルトを用いる必要性はなく、例えばチェーンなど確実に連動することができるものであればいかなるものであっても構わない。
【００７２】
更に、第２の棒状部材の材質を光半透明の材質とすることにより目隠し状態で、ある程度の採光が可能となり、第１の棒状部材および枠体両側の第１の棒状部材を金属製の材質とすることにより防犯性を持たせることが可能となる。
なお、第２の棒状部材に採光を持たせる必要性が無い場合には、必ずしも光半透明の材質とする必要性はなく、第１の棒状部材と同様に金属製、木製、あるいは合成樹脂製など材質を限定するものでは無く、いかなる材質であっても構わない。
【００７３】
また、第１の棒状部材、若しくは第２の棒状部材を中空とし、中空内部に例えば発泡樹脂・発泡モルタルなどの断熱性部材が充填されることにより、構造体の断熱性を高めることができるために、通気と共に、通気の遮断時には防災や保温効果などの建具、壁あるいはフェンスなどに活用することが可能となる。
【図面の簡単な説明】
【００７４】
【図１】本発明の実施例１における通気目隠し構造体の一例を示す正面図である。
【図２】本発明の実施例１における本発明を適用した通気目隠し構造体の一例を示す正面図におけるＡ−Ａ線における断面説明図である。
【図３】本発明の実施例１における本発明を適用した通気目隠し構造体の一例における作用図である。
【図４】本発明の実施例１における本発明を適用した通気目隠し構造体の他の例を示す説明図である。
【図５】本発明の実施例１における本発明を適用した通気目隠し構造体の他の例を示す説明図である。
【図６】本発明の実施例２における本発明を適用した通気目隠し構造体の一例を示す説明図である。
【図７】本発明の実施例２における本発明を適用した通気目隠し構造体の他の例を示す説明図である。
【図８】本発明を適用した通気目隠し構造体の可動機構の一例を示す平面図である。
【図９】本発明を適用した通気目隠し構造体の可動機構の一例を示す正面図である。
【図１０】本発明を適用した通気目隠し構造体の第２の棒状部材の可動機構の一例を示す要部拡大説明図である。
【図１１】本発明を適用した通気目隠し構造体の可動枠体の可動機構の一例を示す要部拡大説明図である。
【図１２】本発明を適用した通気目隠し構造体の第２の棒状部材の回転機構の一例を示す平面図である。
【図１３】本発明を適用した通気目隠し構造体の第２の棒状部材の回転機構の一例を示す正面図である。
【図１４】本発明を適用した通気目隠し構造体の第２の棒状部材の回転機構の一例を示す要部拡大説明図である。
【符号の説明】
【００７５】
１        通気目隠し構造体
２、２A、２B  第１の棒状部材
３        頂部
４        凹部曲面部
５、５A、５B  第２の棒状部材
６        回転軸
７        端部
９        境界線
１０      枠体
１１      内枠体
１２      可動枠体
１３      外枠体
１４      滑動用長穴開口部
１５      建築物
１６、１６A  可動ハンドル
１７      歯車軸受板部
１８      可動プーリー
１９      滑動可動歯車
２０      滑動用ネジ付回転軸
２１      円筒形歯車
２２      円筒形歯車回転軸
２３      可動ベルト
２４      キャスター
２５      回転操作棹
２６      回転操作棹連結平板
２７      回転可動平形歯車
２８      回転可動歯車
２９      回転可動歯車方形回転軸
３０      方形回転軸軸受
３１      歯車側面押板開口部
３２      歯車側面押板
３３      操作棹連結軸
３４      押さえプーリー金具
３５      押さえプーリー
【図１】
2009191511.tif 000003
【図２】
2009191511.tif 000004
【図３】
2009191511.tif 000005
【図４】
2009191511.tif 000006
【図５】
2009191511.tif 000007
【図６】
2009191511.tif 000008
【図７】
2009191511.tif 000009
【図８】
2009191511.tif 000010
【図９】
2009191511.tif 000011
【図１０】
2009191511.tif 000012
【図１１】
2009191511.tif 000013
【図１２】
2009191511.tif 000014
【図１３】
2009191511.tif 000015
【図１４】
2009191511.tif 000016
【手続補正書】
【提出日】平成20年10月27日(2008.10.27)
【手続補正１】
【補正対象書類名】特許請求の範囲
【補正対象項目名】全文
【補正方法】変更
【補正の内容】
【特許請求の範囲】
【請求項１】
所定の間隔で配置された第１の棒状部材と、
該第１の棒状部材同士の間に配置された第２の棒状部材とを備え、
前記第１の棒状部材の前記第２の棒状部材と相対する面に凹状曲面となる凹部が形成された通気目隠し構造体であって、
前記第２の棒状部材は、前記第１の棒状部材との間に常時所定の間隙を介して固定配置されると共に、
前記第１の棒状部材の凹部に相対する前記第２の棒状部材の長手方向に対して直交する端部は、前記第１の棒状部材の凹部の開口面と同一に位置すべく構成され、若しくは、前記第１の棒状部材の凹部の開口面より該凹部内に位置すべく構成された
通気目隠し構造体。
【請求項２】
枠体に所定の間隔で配置された複数の第１の棒状部材と、
該第１の棒状部材同士の間に配置された第２の棒状部材とを備え、
前記第１の棒状部材の前記第２の棒状部材と相対する面に凹状曲面となる凹部が形成されると共に、
前記第２の棒状部材は、同第２の棒状部材の長手方向を回転軸として回動可能に構成された通気目隠し構造体であって、
第１の状態では、前記第１の棒状部材の凹部に相対する前記第２の棒状部材の長手方向に対して直交する端部は、前記第１の棒状部材の凹部の開口面と同一に位置すべく構成され、若しくは、前記第１の棒状部材の凹部の開口面より該凹部内に位置すべく構成され、
前記第１の状態から所定の角度だけ回転した第２の状態では、同第２の棒状部材の端部が、前記凹部の開口面より該凹部外に位置すべく構成され、
更に、第１の状態および第２の状態では、前記第１の棒状部材と前記第２の棒状部材との間に所定の間隙を有する
通気目隠し構造体。
【手続補正２】
【補正対象書類名】明細書
【補正対象項目名】００２３
【補正方法】変更
【補正の内容】
【００２３】
上記の目的を達成するために、本発明に係る通気目隠し構造体は、所定の間隔で配置された第１の棒状部材と、該第１の棒状部材同士の間に配置された第２の棒状部材とを備え、
前記第１の棒状部材の前記第２の棒状部材と相対する面に凹状曲面となる凹部が形成された通気目隠し構造体であって、前記第２の棒状部材は、前記第１の棒状部材との間に常時所定の間隙を介して固定配置されると共に、前記第１の棒状部材の凹部に相対する前記第２の棒状部材の長手方向に対して直交する端部は、前記第１の棒状部材の凹部の開口面と同一に位置すべく構成され、若しくは、前記第１の棒状部材の凹部の開口面より該凹部内に位置すべく構成される。
【手続補正３】
【補正対象書類名】明細書
【補正対象項目名】００２５
【補正方法】変更
【補正の内容】
【００２５】
また、上記の目的を達成するために、本発明の係る通気目隠し構造体は、枠体に所定の間隔で配置された複数の第１の棒状部材と、該第１の棒状部材同士の間に配置された第２の棒状部材とを備え、前記第１の棒状部材の前記第２の棒状部材と相対する面に凹状曲面となる凹部が形成されると共に、前記第２の棒状部材は、同第２の棒状部材の長手方向を回転軸として回動可能に構成された通気目隠し構造体であって、第１の状態では、前記第１の棒状部材の凹部に相対する前記第２の棒状部材の長手方向に対して直交する端部は、前記第１の棒状部材の凹部の開口面と同一に位置すべく構成され、若しくは、前記第１の棒状部材の凹部の開口面より該凹部内に位置すべく構成され、前記第１の状態から所定の角度だけ回転した第２の状態では、同第２の棒状部材の端部が、前記凹部の開口面より該凹部外に位置すべく構成され、更に、第１の状態および第２の状態では、前記第１の棒状部材と前記第２の棒状部材との間に所定の間隙を有する。